(57)【特許請求の範囲】
【請求項１】
ウォーミングアップ動作をした後、記録紙への記録を行う記録部を備えた通信端末装置において、
互いに異なる複数の受信方法をそれぞれ用いてデータを受信する複数の受信手段と、
所定の条件テーブルに基づいて上記データの印刷の要否を判断する判断手段と、
印刷が必要であると判断されたときに、上記記録部のウォーミングアップ動作を開始しその動作完了後に、上記データの記録紙への記録を開始するように制御する制御手段と、
上記複数の受信方法に応じて、上記判断手段による判断を、上記データの受信前又は受信後に行うように変更する変更手段とを備えたことを特徴とする通信端末装置。
【請求項２】
上記複数の受信方法は、ＰＯＰ受信処理と、ＳＭＴＰ受信処理と、Ｇ３ＦＡＸ受信処理とを含むことを特徴とする請求項１記載の通信端末装置。
【請求項３】
ウォーミングアップ動作をした後、記録紙への記録を行う記録部を備えた通信端末装置において、
所定の条件テーブルに基づいてデータの印刷の要否を判断する判断手段と、
印刷が必要であると判断されたときに、上記記録部のウォーミングアップ動作を開始しその動作完了後に、上記データの記録紙への記録を開始するように制御する第１の制御手段と、
上記判断手段の判断なしに上記記録部のウォーミングアップ動作を開始しその動作完了後に、上記データの記録紙への記録を開始するように制御する第２の制御手段と、
上記第１の制御手段の処理と、上記第２の制御手段の処理とを選択的に切り換えて設定する設定手段と、
互いに異なる複数の受信方法をそれぞれ用いて上記データを受信する複数の受信手段とを備え、
上記設定手段は、上記複数の受信方法に応じて、上記第１の制御手段の処理と、上記第２の制御手段の処理とを選択的に切り換えて設定することを特徴とする通信端末装置。
【請求項４】
上記複数の受信方法は、ＰＯＰ受信処理と、ＳＭＴＰ受信処理と、Ｇ３ＦＡＸ受信処理とを含むことを特徴とする請求項３記載の通信端末装置。
【発明の詳細な説明】
【０００１】
【発明の属する技術分野】
本発明は、ウォーミングアップ動作をした後、記録紙への記録を行う電子写真方式プリンタなどの記録部を備えた、例えばファクシミリ装置又はディジタル複合装置などの通信端末装置に関する。
【０００２】
【従来の技術】
従来技術のファクシミリ装置では、受信した画像データの画像や、短縮ダイヤルリストなどのリストのテキストデータ、もしくは、不達レポートなどのメッセージレポートのテキストデータなどを記録紙に記録して出力するために、トナーを用いて記録し定着部にヒータを備えた電子写真方式、印刷インクを用いて記録するインクジェット方式、感熱ヘッドによるインクリボン方式、感熱ヘッドによる感熱紙方式などの種々のプリンタのうちのいずれかのプリンタが備えられている。
【０００３】
上記電子写真方式のプリンタを備えたファクシミリ装置においては、消費電力を抑えるため、待機時は定着部のヒータを停止するか、温度を低めに設定し、印刷時にウォーミングアップ後、所定の温度を維持するようになっている。
【０００４】
【発明が解決しようとする課題】
上記のウォーミングアップには、多少なりとも時間がかかるので、Ｇ３のファクシミリ装置等では、着信を検出した時にウォーミングアップを開始している。しかしながら、記録を必要としないデータを受信したときなど、無駄なウォーミングアップをしている場合もある。
【０００５】
本発明の目的は以上の問題点を解決し、無駄なウォーミングアップを無くし、消費電力の低減と印刷時間の短縮を可能とする通信端末装置を提供することにある。
【０００９】
【課題を解決するための手段】
第１の発明に係る通信端末装置は、ウォーミングアップ動作をした後、記録紙への記録を行う記録部を備えた通信端末装置において、
互いに異なる複数の受信方法をそれぞれ用いてデータを受信する複数の受信手段と、
所定の条件テーブルに基づいて上記データの印刷の要否を判断する判断手段と、
印刷が必要であると判断されたときに、上記記録部のウォーミングアップ動作を開始しその動作完了後に、上記データの記録紙への記録を開始するように制御する制御手段と、
上記複数の受信方法に応じて、上記判断手段による判断を、上記データの受信前又は受信後に行うように変更する変更手段とを備えたことを特徴とする。
ここで、上記複数の受信方法は、ＰＯＰ受信処理と、ＳＭＴＰ受信処理と、Ｇ３ＦＡＸ受信処理とを含むことを特徴とする。
【００１０】
また、第２の発明に係る通信端末装置は、ウォーミングアップ動作をした後、記録紙への記録を行う記録部を備えた通信端末装置において、
所定の条件テーブルに基づいてデータの印刷の要否を判断する判断手段と、
印刷が必要であると判断されたときに、上記記録部のウォーミングアップ動作を開始しその動作完了後に、上記データの記録紙への記録を開始するように制御する第１の制御手段と、
上記判断手段の判断なしに上記記録部のウォーミングアップ動作を開始しその動作完了後に、上記データの記録紙への記録を開始するように制御する第２の制御手段と、
上記第１の制御手段の処理と、上記第２の制御手段の処理とを選択的に切り換えて設定する設定手段と、
互いに異なる受信方法をそれぞれ用いて上記データを受信する複数の受信手段とを備え、
上記設定手段は、上記複数の受信方法に応じて、上記第１の制御手段の処理と、上記第２の制御手段の処理とを選択的に切り換えて設定することを特徴とする。
【００１１】
ここで、上記複数の受信方法は、ＰＯＰ受信処理と、ＳＭＴＰ受信処理と、Ｇ３ＦＡＸ受信処理とを含むことを特徴とする。
【００１２】
【発明の実施の形態】
以下、図面を参照して本発明に係る実施形態について説明する。
【００１３】
図１は、本発明に係る実施形態である、コピー、プリンタ及びスキャナー機能付きのファクシミリ装置であるディジタル複合装置２０を備えたＬＡＮシステムの構成を示すブロック図である。
【００１４】
この実施形態に係るＬＡＮシステムは、複数Ｎ台のクライアントパーソナルコンピュータ（以下、クライアントＰＣという。）３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントＰＣ３０からルータ装置６０やメールサーバ装置４０を介してインターネット９０に接続することにより、ホームページの閲覧や電子メールの送受信を行うことができ、また、各クライアントＰＣ３０は、ディジタル複合装置２０に対してアクセスすることにより、当該装置２０が有するコピー、プリンタ、スキャナー及びファクシミリの各機能を共通に利用することができるように構成されている。
【００１５】
この実施形態に係るディジタル複合装置２０は、電子メールをＰＯＰ３手順又はＳＭＴＰ手順により受信し、ＳＭＴＰ手順により送信するインターネットファクシミリ機能を有するとともに、定着部にヒータを備えそのウォーミングアップ動作をした後、記録紙への記録を行う記録部である電子写真方式のプリンタ３を備える。ＰＯＰ３手順により電子メールを受信する場合において、主制御部１は、ダウンロードすべき電子メールを検出したときに、プリンタ３の定着部のウォーミングアップ動作を開始し、電子メールのダウンロード及びウォーミングアップ動作完了後に、電子メールの記録紙への記録を開始するように制御することを特徴としている。
【００１６】
また、ＳＭＴＰ手順により電子メールを受信する場合において、主制御部１は、電子メールの受信を検出したときに、プリンタ３の定着部のウォーミングアップ動作を開始し、電子メールの受信及びウォーミングアップ動作完了後に、電子メールの記録紙への記録を開始するように制御することを特徴としている。
【００１７】
図２は、図１のクライアントＰＣ３０の構成を示すブロック図である。
【００１８】
図２において、クライアントＰＣ３０は、公知のパーソナルコンピュータである外部端末装置であって、画像データや文字データの生成や記録、格納などの処理を実行する。本実施形態においては、クライアントＰＣ３０は、一例として、イメージスキャナー２により走査された画像データ、ファクシミリ受信された画像データやその他のテキストデータを受信する外部端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントＰＣ３０において、イメージスキャナ及びプリンタ（図示せず。）はオプションで設けられる。表示部１０４は、液晶表示装置（ＬＣＤ）又はＣＲＴディスプレイ等の表示装置であり、当該クライアントＰＣ３０の動作状態を表示したり、送信すべき原稿の画像データ、及び受信した画像データの表示を行う。操作部１０５は、例えばキーボードであり、文字データや指示コマンドを入力するためのものである。
【００１９】
ＲＯＭ１０６は、当該クライアントＰＣ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。
【００２０】
以上のように構成されたクライアントＰＣ３０において、クライアントＰＣ３０の主制御部１０１は、イメージスキャナ２により走査されて変換された後メモリボックス領域８ａ内の対応するメモリボックスに格納された画像データを自身の装置内に転送するとき、対応するメモリボックスを指示する指示データを含む転送指示要求信号をＬＡＮインターフェース１１２及びＬＡＮ７０を介してディジタル複合装置２０内の主制御部１に対して送信し、これに応答して、ディジタル複合装置２０からＬＡＮ７０を介して送信されてくる画像データを受信してハードディスクドライブ９に格納する。もしくは、クライアントＰＣ３０は、ディジタル複合装置２０から送信されてくる画像データやテキストデータを受信して表示部１０４に表示する。
【００２１】
図３は、図１のディジタル複合装置２０の構成を示すブロック図である。
【００２２】
図３において、ディジタル複合装置２０は、従来のＧ３方式等のファクシミリ通信機能に加えて、インターネットファクシミリ、コピー、ネットワークプリンタ、及びネットワークスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。イメージスキャナ２は、ＣＣＤ等を利用したスキャナーで原稿を読み取り、白黒２値に変換したドット画像データを出力する。プリンタ３は、定着部にヒータを備え、そのウォーミングアップ後に記録紙への記録を開始する電子写真方式等のプリンタ装置であり、イメージスキャナ２により走査されて変換された画像データや他のファクシミリ装置からファクシミリ通信により受信した画像データをハードコピーとしてプリントアウトして記録したり、文字データを記録する。
【００２３】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２４】
ＲＯＭ６は、当該ディジタル複合装置２０の動作に必要であって主制御部１によって実行される種々のソフトウェアのプログラムを予め格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。ここで、ＲＡＭ７は、図４に一例を示す配信条件テーブル７ａを含む。なお、ＲＡＭ７としてフラッシュメモリを使用した場合には、停電、装置の移動等のために電源が遮断された場合にもそのデータの内容が失われない。
【００２５】
画像メモリ８はＤＲＡＭ等で構成され、送信すべき画像データ又は受信した画像データ、もしくは走査されて変換された画像データを記憶する。ここで、画像メモリ８は、複数のクライアントＰＣ３０に対応した複数のメモリボックスに区分されたメモリボックス領域８ａを備える。各クライアントＰＣ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２６】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２７】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００２８】
以上のように構成されたディジタル複合装置２０のＧ３ファクシミリ通信機能において、各クライアントＰＣ３０−１乃至３０−Ｎから転送されたドット画像データ、又はイメージスキャナ２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じてプリンタ３でプリントされる。
【００２９】
また、ディジタル複合装置２０のインターネットファクシミリ機能においては、例えば他のインターネットネットファクシミリ装置からインターネット９０を介して、例えば公知のＩＴＵ−Ｔ勧告のＴ．３７やＴ．３８などの通信手順に従って、画像データ又はテキストデータを受信し、もしくは、他のインターネットネットファクシミリ装置に対してインターネット９０を介して送信する。ここで、他のインターネットファクシミリ装置は、電子メールのアドレス又は電話番号などで特定される。また、他のインターネットファクシミリ装置に代えて、ＬＡＮ７０内のクライアントＰＣ３０であってもよい。さらに、画像データが添付された電子メール、もしくは本文に画像データを含む電子メールを、メールサーバ装置４０へのＰＯＰ３手順によるアクセスにより又はメールサーバ装置４０からのＳＭＴＰ手順により、例えば他のインターネットネットファクシミリ装置からメールサーバ装置４０及びインターネット９０を介して受信する。一方、これらの電子メールを、メールサーバ装置４０へのＳＭＴＰ手順によるアクセスにより、例えば他のインターネットネットファクシミリ装置に対してメールサーバ装置４０及びインターネット９０を介して送信する。
【００３０】
図１のメールサーバ装置４０は、ディジタル複合装置２０又はクライアントＰＣ３０から例えばＳＭＴＰの通信手順で送信される電子メールを受信し、一旦装置内の記憶装置に格納した後、ルータ装置６０及びインターネット９０を介して当該電子メールで指定された特定の電子メールのアドレスに対して送信される。一方、ある外部のメールサーバ装置から送信された電子メールは、インターネット９０及びルータ装置６０を介してメールサーバ装置４０で受信されて、一旦装置内の記憶装置に格納される。次いで、ディジタル複合装置２０又はクライアントＰＣ３０から例えばＰＯＰ３の通信手順でメールサーバ装置４０にアクセスすることにより、上記受信された電子メールをディジタル複合装置２０又はクライアントＰＣ３０に取り込んで受信する。もしくは、ディジタル複合装置２０は、メールサーバ装置４０からＳＭＴＰ手順により送信されてくる電子メールを受信する。
【００３１】
図４は、図３のＲＡＭ７に格納される配信条件テーブル７ａの一例を示す図であり、受信又は走査された画像データや電子メールなどのデータをどのように配信するかを示す配信条件を示している。なお、この配信条件テーブル７ａのデータは予め操作部５を用いて入力される。登録される配信条件としては、種々の条件や配信先を登録することができ、図４に示した例では、受信条件及び配信稼動日時を条件として、その条件を満足する場合の配信先、および、受信したファクシミリ画像データをプリンタ３で用紙に記録出力するか否かを示す情報を含んでいる。本実施形態に係る配信条件テーブル７ａでは、配信条件のレコード毎に、配信条件を有効又は無効にするためのフラグとをさらに含む。
【００３２】
受信条件としては、ファクシミリ画像データの発信元装置（又は電気通信事業者の交換機）から送られてくるあらゆる情報に対して条件を設定することができる。例えば、着信時に交換機から送られてくる発信者番号通知やＩＳＤＮサブアドレス、ファクシミリ手順の中でＴＳＩ信号として送られてくる発信元の番号やＦコードサブアドレス及びパスワードに対して条件を設定することが可能である。また、複数の回線からの受信が可能な場合には、着信した回線番号等についても条件を設定することが可能である。図４に示した例では、ＴＳＩ信号により送られてきた発信元番号が「０３−４５６７−８９０１」であるという受信条件と、ＩＳＤＮサブアドレスが「＊２」であるという受信条件を示している。もちろん、例えば発信元の市外局番のみを条件とするなどといった、部分的な情報を条件としたり、除外する条件を設定するなど、各種の条件を設定することが可能である。
【００３３】
また受信条件としては、このような個別の条件の他、ファクシミリ受信時には常時適合する（すべての受信を対象とする）条件を設定してもよい。図４においては、「常時適合」と記してこの条件を示している。さらに、配信条件テーブル７ａに格納されている配信条件のうち、その配信条件を除く配信条件に適合しなかったという条件を設定することができる。図４においては、「上記条件以外」と記してこの条件を示している。
【００３４】
配信稼動日時は、配信を行う時間帯を条件として設定することができる。例えば図４に示した例では、９時から１７時までの勤務時間内での配信を指定する条件と、月曜日から金曜日のウィークデーを指定する条件、及びこれらを組み合わせた条件を示している。これらの条件は、例えば毎日、毎週、毎月、毎年と繰り返して有効とするのか、あるいはその時のみの指定なのかを指定することができる。図４に示した例では、「毎日」、「毎週」として、繰り返して有効にすることを示している。もちろん、このような時間と曜日や日付を組み合わせて指定してもよく、組み合わせた例も図４に示している。また、配信を行わない時間帯を指定してもよい。さらに、図４において「常時」と示しているように、時間帯の制限を行わないこともできる。
【００３５】
配信先としては、配信先を特定する種々の情報を設定しておくことができる。例えばＬＡＮ等の他のネットワーク上のクライアントＰＣ３０に対して配信するのであれば、例えば電子メールアドレスを設定したり、ユーザーＩＤを設定することもできる。あるいは、装置を特定するのであれば、ＩＰアドレスを設定してもよい。また、公衆電話回線Ｌを介してファクシミリ配信する場合には、ＦＡＸ番号を設定しておけばよい。もちろん、このほかにも配信先との通信プロトコルに応じた配信先を特定する情報を設定することができる。また、例えば電子メールアドレスを指定する際にドメインまでを設定するなど、配信先のグループを指定することも可能である。なお、配信先として複数の配信先を設定することができ、その場合に通信プロトコルが異なる配信先が混在していてもよい。
【００３６】
用紙に記録出力するか否かを示す情報は、例えば画像記録部３や予め設定されているＬＡＮ７０上のプリンタなどによって受信したファクシミリ画像データを記録出力するか否かを示すものである。適合した配信条件が複数存在するとき、そのうちの１つでも記録出力する指定が行われていれば、受信したファクシミリ画像データを記録出力する。あるいは、適合した配信条件のうち、記録出力が指定されている配信条件の数だけの部数を記録出力するなど、記録出力の条件を別途定めておいてもよい。なお、適合した配信条件において記録出力しない旨の指定が行われている場合でも、その配信条件で設定されている配信先に受信したファクシミリの画像データを配信できない場合には、この設定にかかわらず記録出力するように構成することができる。
【００３７】
図５は、図３のディジタル複合装置２０の主制御部１によって実行される本実施形態に係るＰＯＰ受信処理を示すフローチャートである。
【００３８】
図５において、まず、ステップＳ１においてＰＯＰ３手順によりメールサーバ装置４０に接続し、ステップＳ２においてメールサーバ装置４０に対して受信リストを要求して受信する。次いで、ステップＳ３において、受信された受信リストに基づいて新着の電子メールがあるか否かが判断され、ＹＥＳのときはステップＳ４に進む一方、ＮＯのときは当該ＰＯＰ受信処理を終了する。ステップＳ４においてプリンタ３をプリンタ３の定着部をウォームアップし、ステップＳ５において新着の電子メールをメールサーバ装置４０から受信し、ステップＳ６においてプリンタ３を用いて新着の電子メールのヘッダ及び本文を記録紙に印刷して、当該ＰＯＰ受信処理を終了する。
【００３９】
図６は、図３のディジタル複合装置２０の主制御部１によって実行される本実施形態に係るＳＭＴＰ受信処理を示すフローチャートである。
【００４０】
図６において、ステップＳ１１において、まず、ＳＴＭＰ手順により、メールサーバ４０から接続要求があったか否かが判断され、ＹＥＳとなるまでステップＳ１１の処理を繰り返し、ＹＥＳとなったときに、ステップＳ１２においてメールサーバ装置４０から電子メールの宛先を受信し、ステップＳ１３において受信した電子メールの宛先に基づいて、宛先ドメインは自ドメインか否かが判断され、ＹＥＳのときはステップＳ１４に進む一方、ＮＯのときはステップＳ１７に進む。ステップＳ１４では、プリンタ３の定着部をウォームアップし、ステップＳ１５において電子メールの本文をメールサーバ装置４０から受信し、ステップＳ１６においてプリンタ３を用いて電子メールのヘッダ及び本文を印刷して、当該ＳＭＴＰ受信処理を終了する。一方、ステップＳ１７において電子メールの本文をメールサーバ装置４０から受信し、ステップＳ１８において受信した電子メールを、上記受信した電子メールの宛先により示される他のメールサーバ装置へ転送して、当該ＳＭＴＰ受信処理を終了する。
【００４１】
次いで、変形例に係るウォーミングアップの制御処理について以下に説明する。この変形例においては、主制御部１は、電子メールや画像データなどのデータの受信に先立ち、図４の配信条件テーブル７ａに基づいてデータの印刷の要否を判断し、印刷が必要であると判断されたときに、プリンタ３の定着部のウォーミングアップ動作を開始し、データの受信完了後及びウォーミングアップ動作完了後に、データの記録紙への記録を開始するように制御することを特徴としている。この具体的な制御処理を図７乃至図９に示す。
【００４２】
図７は、図３のディジタル複合装置２０の主制御部１によって実行される変形例に係るＰＯＰ受信処理を示すフローチャートである。
【００４３】
図７において、ステップＳ２１において、まず、ＰＯＰ３手順によりメールサーバ装置４０に接続し、ステップＳ２２においてメールサーバ装置４０に対して受信リストを要求して受信する。次いで、ステップＳ２３において、上記受信した受信リストに基づいて新着の電子メールがあったか否かが判断され、ＹＥＳのときはステップＳ２４に進む一方、ＮＯのときは当該ＰＯＰ受信処理を終了する。ステップＳ２４において新着の電子メールをメールサーバ装置４０から受信し、ステップＳ２５において図４の配信条件テーブル７ａを参照して印刷対象か否かが判断され、ＹＥＳのときはステップＳ２６に進む一方、ＮＯのときはステップＳ２８に進む。ステップＳ２６において、プリンタ３の定着部をウォームアップし、ステップＳ２７においてプリンタ３を用いて新着の電子メールのヘッダ及び本文を記録紙に印刷して、当該ＰＯＰ受信処理を終了する。一方、ステップＳ２８においては、上記配信条件テーブル７ａで示された転送等の処理を実行した後、当該ＰＯＰ受信処理を終了する。
【００４４】
図８は、図３のディジタル複合装置２０の主制御部１によって実行される変形例に係るＳＭＴＰ受信処理を示すフローチャートである。
【００４５】
図８において、ステップＳ３１において、まず、ＳＴＭＰ手順によりメールサーバ装置４０から接続要求があったか否かが判断され、ＹＥＳとなるまでステップＳ３１の処理を繰り返し、ＹＥＳとなったときに、ステップＳ３２においてメールサーバ装置４０から電子メールの宛先を受信し、ステップＳ３３において、上記受信した電子メールの宛先に基づいて宛先ドメインは自ドメインか否かが判断され、ＹＥＳのときはステップＳ３４に進む一方、ＮＯのときはステップＳ３９に進む。ステップＳ３４においては、電子メールの本文をメールサーバ装置４０から受信し、ステップＳ３５において図４の配信条件テーブル７ａを参照して印刷対象か否かが判断され、ＹＥＳのときはステップＳ３６に進む一方、ＮＯのときはステップＳ３８に進む。ステップＳ３６においては、プリンタ３の定着部をウォームアップし、ステップＳ３７においてプリンタ３を用いて電子メールのヘッダ及び本文を印刷して当該ＳＭＴＰ受信処理を終了する。一方、ステップＳ３８においては、上記配信条件テーブル７ａで示された転送等の処理を実行した後、当該ＳＭＴＰ処理を終了する。
【００４６】
なお、ステップＳ３３でＮＯであるときは、ステップＳ３９において電子メールの本文をメールサーバ装置４０から受信し、ステップＳ４０において受信した電子メールを、上記受信した電子メールの宛先に対応する他のメールサーバ装置へ転送して、当該ＳＭＴＰ処理を終了する。
【００４７】
図９は、図３のディジタル複合装置２０の主制御部１によって実行される変形例に係るＧ３ＦＡＸ受信処理を示すフローチャートである。
【００４８】
図９において、ステップＳ４１において、相手機のファクシミリ装置からＣＩ信号を検出したか否かが判断され、ＹＥＳとなるまでステップＳ４１の処理を繰り返し、ＹＥＳとなったときに、ステップＳ４２においてフェーズＡの回線接続処理を実行し、具体的には、呼設定手順に従って被呼端末の確認などの処理を行う。次いで、ステップＳ４３においてフェーズＢの手順処理を実行し、具体的には、通信モードの決定、位相調整又はトレーニングの処理を行う。そして、ステップＳ４４において，図４の配信条件テーブル７ａを参照して（具体的には、配信元情報や配信先情報に基づいて）印刷対象か否かが判断され、ＹＥＳのときはステップＳ４５に進む一方、ＮＯのときはステップＳ４９に進む。
【００４９】
ステップＳ４５においてプリンタ３の定着部をウォームアップし、ステップＳ４６においてフェーズＣ及びＤの手順処理を実行し、具体的には、画像データであるメッセージの受信、及びその終了確認処理を実行した後、ステップＳ４７においてフェーズＥの回線切断処理を実行する。そして、ステップＳ４８においてプリンタ３を用いて受信した画像データの画像を記録紙に印刷して、当該Ｇ３ＦＡＸ受信処理を終了する。
【００５０】
一方、ステップＳ４４でＮＯであるときは、ステップＳ４９においてフェーズＣ及びＤの手順処理を実行し、ステップＳ５０においてフェーズＥの回線切断処理を実行した後、ステップＳ５１で図４の配信条件テーブル７ａに示された転送等の処理を実行し、当該Ｇ３ＦＡＸ受信処理を終了する。
【００５１】
さらに、別の変形例に係るウォーミングアップの制御処理について以下に説明する。この別の変形例においては、配信条件テーブル７ａに基づく判断分岐の処理を含む上記変形例において、上述のＰＯＰ受信処理、ＳＭＴＰ受信処理、Ｇ３ＦＡＸ受信処理などの複数の受信方法に応じて、上記判断分岐の処理をデータの受信前又は受信後に行うように変更してもよい。例えば、Ｇ３ＦＡＸ受信処理においては、着呼時において１ページ又は全ページの画像データを受信したときに上記判断分岐の処理を実行する一方、ＰＯＰ受信処理やＳＭＴＰ受信処理においては、ＰＯＰ３手順又はＳＭＴＰ手順による接続時に新着の電子メールがあり、そのデータを受信する前に上記判断分岐の処理を実行する。従って、電子写真方式のプリンタ３の最適なウォーミングアップを行うことにより、無駄なウォーミングアップを無くし、消費電力を削減しかつ印刷時間を短縮することができる。
【００５２】
また、さらに別の変形例において、同一の受信処理について、配信条件テーブル７ａに基づく判断分岐の処理を含むことと、当該判断分岐の処理を含まないこととを選択的にユーザにより操作部５を用いて設定可能にしてもよい。具体的には、ＰＯＰ受信処理において、図５の処理と、図７の処理とを選択的にユーザにより操作部５を用いて設定可能にし、また、ＳＭＴＰ受信処理において、図６の処理と、図８の処理とを選択的にユーザにより操作部５を用いて設定可能にする。またこれを、複数の受信方法に応じて選択的にユーザにより操作部５を用いて設定可能にしてもよい。従って、電子写真方式のプリンタ３の最適なウォーミングアップを行うことにより、無駄なウォーミングアップを無くし、消費電力を削減しかつ印刷時間を短縮することができる。また、プリンタ３のウォーミングアップのタイミングをユーザにより設定可能となり、ユーザの使用形態に応じた最適なウォーミングアップを行うことができ、さらに、省エネ効果を向上できる。
【００５３】
インターネットファクシミリ機能を備えたディジタル複合装置２０において、本体のプリンタ３がスリープモードや省エネモードの場合に受信した電子メールを印字するときにはウォーミングアップが必要になり印字に時間がかかる。しかしながら、受信開始と同時にウォーミングアップを開始しても実際に印字すべきメールを受信しなかった場合には、電力の無駄である。本実施形態においては、これを解決するために以下の処理を行う。
（１）ＰＯＰ３手順で受信する場合にはメールサーバ装置４０に接続し、メールボックスにダウンロードすべき新着の電子メールがあった場合に（図５のステップＳ３でＹＥＳ）プリンタ３をウォームアップする（ステップＳ４）。
（２）ＳＭＴＰ手順で受信する場合には、接続され送信側からのメール送信開始のコマンドを受信したときにプリンタ３をウォームアップする。
（３）もしくは、ＰＯＰ３手順で受信あるいはＳＭＴＰ手順で受信する場合において、受信した電子メールが転送メールなどでなく、印字すべき電子メールであると判断できた時点で（例えば、図６のステップＳ１３でＹＥＳ）プリンタ３をウォームアップすることによりより省エネ効果が高くなる。
（４）さらに、プリンタ３をウォームアップするタイミングを設定できるようにしておいてもよい（さらに別の変形例）。
（５）ＦＡＸ受信が開始され、受信ＦＡＸ配信設定などの検索結果により、受信している原稿に印字すべき条件が含まれていると判断できた時点で（図９のステップＳ４４でＹＥＳ）プリンタ３をウォームアップする（ステップＳ４５）。さらには印字すべき条件が含まれていると判断でき、且つ有効なページを１ページ受信できた時点でプリンタをウォームアップすることによりより省エネ効果が高くなる。
【００５４】
以上説明したように、本実施形態によれば、電子写真方式のプリンタ３の最適なウォーミングアップを行うことにより、無駄なウォーミングアップを無くし、消費電力を削減しかつ印刷時間を短縮することができる。
【００５５】
＜変形例＞
以上の実施形態においては、ディジタル複合装置２０の例について述べているが、本発明はこれに限らず、インターネットファクシミリ装置や、通常のファクシミリ装置、モデムを用いたデータ伝送装置など、プリンタなどの記録部を備えた通信端末装置に広く適用することができる。
【００５９】
【発明の効果】
以上詳述したように、第１の発明に係る通信端末装置によれば、ウォーミングアップ動作をした後、記録紙への記録を行う記録部を備えた通信端末装置において、互いに異なる複数の受信方法をそれぞれ用いてデータを受信する複数の受信手段と、所定の条件テーブルに基づいて上記データの印刷の要否を判断する判断手段と、印刷が必要であると判断されたときに、上記記録部のウォーミングアップ動作を開始しその動作完了後に、上記データの記録紙への記録を開始するように制御する制御手段と、上記複数の受信方法に応じて、上記判断手段による判断を、上記データの受信前又は受信後に行うように変更する変更手段とを備える。従って、上記記録部の最適なウォーミングアップを行うことにより、無駄なウォーミングアップを無くし、消費電力を削減しかつ印刷時間を短縮することができる。
【００６０】
また、第２の発明に係る通信端末装置によれば、ウォーミングアップ動作をした後、記録紙への記録を行う記録部を備えた通信端末装置において、所定の条件テーブルに基づいてデータの印刷の要否を判断する判断手段と、印刷が必要であると判断されたときに、上記記録部のウォーミングアップ動作を開始しその動作完了後に、上記データの記録紙への記録を開始するように制御する第１の制御手段と、上記判断手段の判断なしに上記記録部のウォーミングアップ動作を開始しその動作完了後に、上記データの記録紙への記録を開始するように制御する第２の制御手段と、上記第１の制御手段の処理と、上記第２の制御手段の処理とを選択的に切り換えて設定する設定手段と、互いに異なる複数の受信方法をそれぞれ用いて上記データを受信する複数の受信手段とを備え、上記設定手段は、上記複数の受信方法に応じて、上記第１の制御手段の処理と、上記第２の制御手段の処理とを選択的に切り換えて設定する。
【００６１】
従って、複数の受信方法に応じて、上記記録部の最適なウォーミングアップを行うことにより、無駄なウォーミングアップを無くし、消費電力を削減しかつ印刷時間を短縮することができる。また、上記記録部のウォーミングアップのタイミングをユーザにより設定可能となり、ユーザの使用形態に応じた最適なウォーミングアップを行うことができ、さらに、省エネ効果を向上できる。
【図面の簡単な説明】
【図１】本発明に係る実施形態である、コピー、プリンタ及びスキャナー機能付きのファクシミリ装置であるディジタル複合装置２０を備えたＬＡＮシステムの構成を示すブロック図である。
【図２】図１のクライアントＰＣ３０の構成を示すブロック図である。
【図３】図１のディジタル複合装置２０の構成を示すブロック図である。
【図４】図３のＲＡＭ７に格納される配信条件テーブル７ａの一例を示す図である。
【図５】図３のディジタル複合装置２０の主制御部１によって実行される本実施形態に係るＰＯＰ受信処理を示すフローチャートである。
【図６】図３のディジタル複合装置２０の主制御部１によって実行される本実施形態に係るＳＭＴＰ受信処理を示すフローチャートである。
【図７】図３のディジタル複合装置２０の主制御部１によって実行される変形例に係るＰＯＰ受信処理を示すフローチャートである。
【図８】図３のディジタル複合装置２０の主制御部１によって実行される変形例に係るＳＭＴＰ受信処理を示すフローチャートである。
【図９】図３のディジタル複合装置２０の主制御部１によって実行される変形例に係るＧ３ＦＡＸ受信処理を示すフローチャートである。
【符号の説明】
１…主制御部、
３…プリンタ、
５…操作部、
６…ＲＯＭ、
７…ＲＡＭ、
７ａ…配信条件テーブル、
８…画像メモリ、
８ａ…メモリボックス領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ（クライアントＰＣ）、
４０…メールサーバ装置、
６０…ルータ装置、
７０…ローカルエリアネットワーク（ＬＡＮ）、
８０…公衆電話網、
９０…インターネット。
【図１】
0003599015.tif 000002
【図２】
0003599015.tif 000003
【図３】
0003599015.tif 000004
【図４】
0003599015.tif 000005
【図５】
0003599015.tif 000006
【図６】
0003599015.tif 000007
【図７】
0003599015.tif 000008
【図８】
0003599015.tif 000009
【図９】
0003599015.tif 000010